(57)【要約】【課題】  本発明は目地部の左右方向の寸法の２倍よりも小さな範囲でしか移動量を設定することができない現場でも、目地部の左右方向の寸法分以上の伸縮移動量の設定が可能な床用目地装置を得るにある。【解決手段】  目地部を介して設けられた左右の建物の、一方の建物の目地部側の躯体に後端部が取付けられ、先端部が他方の建物の目地部側の床面上をスライド移動できる、該目地部の左右方向の寸法の約２倍の長さの目地プレートと、前記他方の建物の目地部側の床躯体に取付けられた、常時は該目地部側の床躯体より目地部内へ突出し、地震等によって目地部が狭くなると前記一方の建物の目地部側の躯体によって押し圧されて収縮する、前記目地プレートを支持する目地プレート支持具とで床用目地装置を構成している。【選択図】  図１
2005307703.tif 000002
【特許請求の範囲】
【請求項１】
目地部を介して設けられた左右の建物の、一方の建物の目地部側の躯体に後端部が取付けられ、先端部が他方の建物の目地部側の床面上をスライド移動できる、該目地部の左右方向の寸法の約２倍の長さの目地プレートと、前記他方の建物の目地部側の床躯体に取付けられた、常時は該目地部側の床躯体より目地部内へ突出し、地震等によって目地部が狭くなると前記一方の建物の目地部側の躯体によって押し圧されて収縮する、前記目地プレートを支持する目地プレート支持具とを備えることを特徴とする床用目地装置。
【請求項２】
目地部を介して設けられた左右の建物の、一方の建物の目地部側の躯体に後端部が取付けられ、先端部が他方の建物の目地部側の床面上をスライド移動できる、該目地部の左右方向の寸法の約２倍の長さの目地プレートと、前記他方の建物の目地部側の床躯体に上面が該床躯体とほぼ同一面となるように先端部が目地部内へスライド移動可能な支持プレート、この支持プレートを常時は目地部側の床躯体より突出し、地震等によって目地部が狭くなると前記一方の建物の目地部側の躯体によって押し圧されて収縮させる作動機構とからなる目地プレート支持具とを備えることを特徴とする床用目地装置。
【発明の詳細な説明】
【技術分野】
【０００１】
本発明は目地部を介して設けられた免震ビル等の左右の建物の床部分の目地部を覆う床用目地装置に関する。
【背景技術】
【０００２】
従来、免震ビル等で、目地部の左右方向の寸法の２倍よりも小さな範囲で移動量を設定することができない現場には、目地部の左右方向の寸法の２倍以下の目地プレートしか設置することができず、目地部の左右方向の寸法およびそれ以上の移動量を設定することができないという欠点があった。
【特許文献１】特になし。
【発明の開示】
【発明が解決しようとする課題】
【０００３】
本発明は以上のような従来の欠点に鑑み、目地部の左右方向の寸法の２倍よりも小さな範囲でしか移動量を設定することができない現場でも、目地部の左右方向の寸法分以上の伸縮移動量の設定が可能な床用目地装置を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は目地部を介して設けられた左右の建物の、一方の建物の目地部側の躯体に後端部が取付けられ、先端部が他方の建物の目地部側の床面上をスライド移動できる、該目地部の左右方向の寸法の約２倍の長さの目地プレートと、前記他方の建物の目地部側の床躯体に取付けられた、常時は該目地部側の床躯体より目地部内へ突出し、地震等によって目地部が狭くなると前記一方の建物の目地部側の躯体によって押し圧されて収縮する、前記目地プレートを支持する目地プレート支持具とで床用目地装置を構成している。
【発明の効果】
【０００６】
以上の説明から明らかなように、本発明にあっては次に列挙する効果が得られる。
【０００７】
（１）一方の建物の目地部側の躯体に後端部が取付けられ、先端部が他方の建物の目地部側の床面上をスライド移動できる、該目地部の左右方向の寸法の約２倍の長さの目地プレートと、前記他方の建物の目地部側の床躯体に取付けられた、常時は該目地部側の床躯体より目地部内へ突出し、地震等によって目地部が狭くなると前記一方の建物の目地部側の躯体によって押し圧されて収縮する、前記目地プレートを支持する目地プレート支持具とで構成されているので、地震等によって目地部の左右方向の寸法以上に左右の建物が揺れ動いて目地部が広くなった場合には、他方の建物の目地部側の床躯体に取付けられた、常時目地部へ突出する目地プレート支持具で目地プレートの先端部を支持することができる。
また、目地部の左右方向の寸法がなくなるように狭くなった場合には、目地プレート支持具を一方の建物の躯体によって、他方の建物の床躯体へ押し圧して収縮させることができる。
したがって、目地部の左右方向の寸法分だけの収縮を可能にすることができる。
【０００８】
（２）前記（１）によって、目地部の左右方向の寸法の２倍よりも小さな範囲でしか移動量を設定することができない現場でも、目地部の左右方向の寸法の２倍以下の目地プレートを用いて、目地部の左右方向の寸法とほぼ同じ寸法分だけ目地部が広くなったり、狭くなっても、目地部に隙間が生じることなく、かつ目地プレートが元の状態に自動的に戻れる状態で、その揺れ動きを吸収することができる。
【０００９】
（３）前記（１）によって、目地プレート支持具を設けるだけでよいので、構造が簡単で、容易に実施することができる。
【００１０】
（４）請求項２も前記（１）〜（３）と同様な効果が得られる。
【発明を実施するための最良の形態】
【００１１】
以下、図面に示す本発明を実施するための最良の形態により、本発明を詳細に説明する。
【００１２】
図１ないし図６に示す本発明を実施するための最良の第１の形態において、１は目地部２を介して設けられた左右の建物３、３の目地部２を覆う本発明の床用目地装置で、この床用目地装置１は前記左右の建物３、３の、一方の建物３の目地部側の躯体３ａにほぼ水平方向に複数本のビス４等で固定的に取付けられたレール５に後端部が前後方向にスライド移動できるように複数個のローラ６を介して取付けられ、先端部が他方の建物３の目地部側の床面上を目地部の左右方向の寸法Ｌの２倍以下の部位の障害物７部位までスライド移動できる、該寸法Ｌの約２倍あるいはこの寸法よりもわずかに小さい寸法の目地プレート８と、前記他方の建物３の目地部側の床躯体３ｂに取付けられた、常時は害目地部側の床躯体３ｂより目地部内へ突出し、地震等によって目地部が狭くなると前記一方の建物３の目地部側の躯体３ａによって押し圧されて収縮する、前記目地プレート８を支持する目地プレート支持具９とで構成されている。
【００１３】
前記目地プレート支持具９は、前記他方の建物３の目地部側の床躯体３ｂの上面に形成された支持プレート支持凹部１０と、この支持プレート支持凹部１０にスライド移動可能に支持された上面１１ａが目地部側の床躯体３ｂの上面３ｃとほぼ同一面となるＬ字状の支持プレート１１と、この支持プレート１１の左右方向の移動量を規制する長孔１２、１２と係止ピン１３、１３との移動規制手段１４、前記目地部側の床躯体３ｂに複数本のビス１５等によって所定間隔に取付けられた複数対の先端部にローラ１６がそれぞれ取付けられたアーム１７、１７と、この複数対のアーム１７、１７がほぼ６０度回動した状態で停止させる一端部が該アーム１７、１７に取付けられ、他端部が他方の建物３の目地部側の床躯体３ｂに取付けられたストッパーワイヤー１８、１８と、前記複数対のアーム１７、１７の先端部寄りの部位に両端部が取付けられた、該複数対のアーム１７、１７の先端部が近接するように付勢する付勢スプリング１９とで構成されている。
【００１４】
上記構成の床用目地装置１は通常時には、図３に示すように目地プレート８、目地プレート支持具９が位置している。
地震等によって目地部２が広くなるように左右の建物３、３が揺れ動いた場合には、図５に示すように目地プレート８の目地部２内に位置する先端部が目地プレート支持具９の支持プレート１１に支持された状態となり、目地プレート８の目地部２内への脱落を防止するとともに、揺れ動きが停止した場合に元の状態に自動的に戻れるように支持した状態になる。
また、目地部２が狭くなるように左右の建物３、３が揺れ動いた場合には、図６に示すように一方の建物３の目地部側の躯体３ａが目地プレート支持具９の支持プレート１１を付勢スプリング１９の付勢力に抗して押し圧し、他方の建物３の目地部側床躯体３ｂ方向へ移動させ、ほぼ目地部の左右方向の寸法Ｌ分だけ移動させて、その揺れ動きを吸収することができる。
[発明を実施するための異なる形態]
【００１５】
次に、図７ないし図２4に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図７ないし図９に示す本発明を実施するための第２の形態において、前記本発明を実施するための最良の第１の形態と主に異なる点は、目地プレート８の後端部を一方の建物３の躯体３ａに固定された支持台２０に複数本のビス２１で固定するとともに、他方の建物３の目地部側の床躯体３ｂに目地プレート８を支持する支持バー２２を常時突出状態で支持する、該床躯体３ｂに所定感覚で埋設された複数個の支持筒２３、この複数個の支持筒２３の一端部よりそれぞれ突出して、前記支持バー２２を支持するスライド杆２４、このスライド杆２４を常時突出方向に付勢する付勢スプリング２５とからなる支持バー付勢支持具２６を使用する目地プレート支持具９Ａを用いた点で、このように構成した床用目地装置１Ａにしても、前記本発明を実施するための最良の第１の形態と同様な作用効果が得られる。
【００１７】
図１０ないし図１２に示す本発明を実施するための第３の形態において、前記本発明を実施するための第２の形態と主に異なる点は、他方の建物３の目地部側の床躯体３ｂに目地プレート８の後端部を固定する支持台２０および目地プレート支持具９Ａの支持バー２２を収納することができる凹部２７を形成した点で、このような凹部２７を形成した床用目地装置１Ｂにしても、前記本発明を実施するための第２の形態と同様な作用効果が得られるとともに、目地部の左右方向の寸法Ｌがゼロになる状態までの揺れ動きを吸収することができる。
【００１８】
図１３ないし図１５に示す本発明を実施するための第４の形態において、前記本発明を実施するための最良の第１の形態と主に異なる点は、目地プレート支持凹部１０Ａ内に所定間隔で複数個固定された左右方向に長いガイド孔２８が形成された固定側支持バー２９と、この複数個の固定側支持バー２９のガイド孔２８をスライド移動可能に貫通する支持杆３０と、この支持杆３０に後端部が取付けられた複数個の可動側支持バー３１と、この複数個の可動側支持バー３１の先端部に取付けられた支持バー２２と、この支持バー２２を常時突出方向に付勢する複数個の支持バー付勢支持具２６とからなる目地プレート支持具９Ｂを用いた点で、このような目地プレート支持具９Ｂを用いて構成した床用目地装置１Ｃにしても、前記本発明を実施するための最良の第１の形態と同様な作用効果が得られる。
【００１９】
図１６ないし図１８に示す本発明を実施するための第５の形態において、前記本発明を実施するための最良の第１の形態と主に異なる点は、目地部２側に開口３２する複数個の箱３３を目地プレート支持凹部１０Ａに固定するとともに、該複数個の箱３３の開口３２より突出する有底あるいは無底の引き出し状の支持バー２２Ａと、この支持バー２２Ａを常時突出させる前記複数個の箱３３内に収納された付勢スプリング３４と、前記支持バー２２Ａが所定位置以上突出するのを阻止するストッパー３５とからなる目地プレート支持具９Ｃを用いた点で、このような目地プレート支持具９Ｃを用いた床用目地装置１Ｄにしても、前記本発明を実施するための最良の第１の形態と同様な作用効果が得られる。
【００２０】
図１９ないし図２２に示す本発明を実施するための第６の形態において、前記本発明を実施するための第５の形態と主に異なる点は、目地プレート８Ａの先端部も収納することができる目地プレート支持凹部１０B内に前後方向に所定間隔で左右方向に位置するように固定された複数個の支持仕切壁３６と、この複数個の支持仕切壁３６に支持固定され前記目地プレート支持凹部１０Bを覆うカバープレート３７と、このカバープレート３７と前記複数個の支持仕切壁３６で覆われた部位の複数個の空間部３８に目地部２側へ突出するようにスライド移動可能に収納された背面部が開口３９する複数個の浅い箱状のスライド移動体４０と、この複数個のスライド移動体４０をそれぞれ常時目地部方向に突出するように付勢する付勢スプリング４１と、前記複数個のスライド移動体４０が前記目地プレート支持凹部１０Ｂより脱落するのを阻止するストッパー４２とからなる目地プレート支持具９Ｄを用いた点で、このような目地プレート支持具９Ｄを用いた床用目地装置１Eにしても、前記本発明を実施するための第５の形態と同様な作用効果が得られる。
なお、本発明の実施の形態では複数個の浅い箱状のスライド移動体４０は底面および背面が開口されたものや全面が閉じられたものを用いても良い。
【００２１】
図２３および図２４に示す本発明を実施するための第７の形態において、前記本発明を実施するための第６の形態と主に異なる点は、目地プレート８Ａの先端部の底面に複数個のスライド移動体４０の上面および床躯体３ｂの上面３ｃをスムーズに移動することが複数個のローラ４３を取付けた点で、このように構成した床用目地装置１Fにしても、前記本発明を実施するための第６の形態と同様な作用効果が得られる。
【００２２】
なお、本発明を実施するための各形態では、免震ビル等の建物間の目地部を覆うものについて説明したが、本発明はこれに限らず、一方が免震ビル等の建物で、他方がよう壁や躯体等の建物であってもよい。
また、本発明は前記本発明を実施するための各形態で用いた目地プレート支持具９、９Ａ、９Ｂ、９Ｃ、９Ｄ以外に目地部側の床躯体３ｂに複数本のビス１５等によって所定間隔で先端部が左右方向に回動可能に取付けられた複数個のアーム１７、１７の先端部を支持プレート１１の先端部寄りの部位に枢支するとともに、付勢スプリングで、該複数個のアーム１７、１７がストッパーで停止されるほぼ４５度の傾斜位置に常時位置するものを用い、目地部が狭くなると、支持プレート１１が他方の建物３の目地部側床躯体３ｂ方向へ移動するとともに、複数個のアーム１７、１７の付勢スプリングの付勢力に抗しての回動により、前後方向に移動して、その揺れ動きを吸収するものを用いてもよい。
【産業上の利用可能性】
【００２３】
本発明は床用目地装置を製造する産業、およびこれを設置する産業で利用される。
【図面の簡単な説明】
【００２４】
【図１】本発明を実施するための最良の第１の形態の平面図。
【図２】本発明を実施するための最良の第１の形態の底面図。
【図３】図１の３−３線に沿う拡大断面図。
【図４】本発明を実施するための最良の第１の形態の目地プレート支持具の説明図。
【図５】本発明を実施するための最良の第１の形態の目地部が広くなった動作説明図。
【図６】本発明を実施するための最良の第１の形態の目地部が狭くなった動作説明図。
【図７】本発明を実施するための第２の形態の平面図。
【図８】本発明を実施するための第２の形態の目地プレートを外した平面図。
【図９】本発明を実施するための第２の形態の目地プレート支持具の説明図。
【図１０】本発明を実施するための第３の形態の平面図。
【図１１】本発明を実施するための第３の形態の目地プレートを外した平面図。
【図１２】本発明を実施するための第３の形態の目地プレート支持具の説明図。
【図１３】本発明を実施するための第４の形態の平面図。
【図１４】本発明を実施するための第４の形態の目地プレートを外した平面図。
【図１５】本発明を実施するための第４の形態の目地プレート支持具の説明図。
【図１６】本発明を実施するための第５の形態の平面図。
【図１７】本発明を実施するための第５の形態の目地プレートを外した平面図。
【図１８】本発明を実施するための第５の形態の目地プレート支持具の説明図。
【図１９】本発明を実施するための第６の形態の平面図。
【図２０】本発明を実施するための第６の形態の目地プレートを外した平面図。
【図２１】図１９の２１―２１線に沿う部分拡大図。
【図２２】本発明を実施するための第６の形態の目地プレート支持具の説明図。
【図２３】本発明を実施するための第７の形態の平面図。
【図２４】本発明を実施するための第７の形態の目地プレートの説明図。
【符号の説明】
【００２５】
１、１Ａ、１Ｂ、１Ｃ、１Ｄ、１E、１F：床用目地装置、
２：目地部、                    ３：建物、
４：ビス、                      ５：レール、
６：ローラ、                    ７：障害物、
Ｌ：目地部の左右方向の寸法、    ８：目地プレート、
９、９Ａ、９Ｂ、９Ｃ、９Ｄ：目地プレート支持具、
１０、１０Ａ、１０B：目地プレート支持凹部、
１１：支持プレート、            １２：長孔、
１３：係止ピン、                １４：移動規制手段、
１５：ビス、                    １６：ローラ、
１７：アーム、                  １８：ストッパーワイヤー、
１９：付勢スプリング、          ２０：支持台、
２１：ビス、                    ２２、２２Ａ：支持バー、
２３：支持筒、                  ２４：スライド杆、
２５：付勢スプリング、          ２６：支持バー付勢支持具、
２７：凹部、                    ２８：ガイド孔、
２９：固定側支持バー、          ３０：支持杆、
３１：可動側支持バー、          ３２：開口、
３３：箱、                      ３４：付勢スプリング、
３５：ストッパー、              ３６：支持仕切壁、
３７：カバープレート、          ３８：空間部、
３９：開口、                    ４０：スライド移動体、
４１：付勢スプリング、          ４２：ストッパー、
４３：ローラ。
【図１】
2005307703.tif 000003
【図２】
2005307703.tif 000004
【図３】
2005307703.tif 000005
【図４】
2005307703.tif 000006
【図５】
2005307703.tif 000007
【図６】
2005307703.tif 000008
【図７】
2005307703.tif 000009
【図８】
2005307703.tif 000010
【図９】
2005307703.tif 000011
【図１０】
2005307703.tif 000012
【図１１】
2005307703.tif 000013
【図１２】
2005307703.tif 000014
【図１３】
2005307703.tif 000015
【図１４】
2005307703.tif 000016
【図１５】
2005307703.tif 000017
【図１６】
2005307703.tif 000018
【図１７】
2005307703.tif 000019
【図１８】
2005307703.tif 000020
【図１９】
2005307703.tif 000021
【図２０】
2005307703.tif 000022
【図２１】
2005307703.tif 000023
【図２２】
2005307703.tif 000024
【図２３】
2005307703.tif 000025
【図２４】
2005307703.tif 000026